【手続補正書】
【提出日】平成16年10月15日(2004.10.15)
【手続補正１】
【補正対象書類名】明細書
【補正対象項目名】発明の名称
【補正方法】変更
【補正の内容】
【発明の名称】画像記録装置、情報発信装置、画像記録方法、コンピュータ読み取り可能な記憶媒体及びコンピュータプログラム
【手続補正２】
【補正対象書類名】明細書
【補正対象項目名】特許請求の範囲
【補正方法】変更
【補正の内容】
【特許請求の範囲】
【請求項１】
少なくとも日時情報を含むスケジュール情報を入力可能なスケジューラ機能を備えた画像記録装置であって、
上記スケジュール情報に含まれる日時情報に、被写体を撮影して画像ファイルを生成した日時情報が含まれる場合には、上記スケジュール情報と上記画像ファイルとを関連付けて記録することを特徴とする画像記録装置。
【請求項２】
被写体を撮影して生成した撮影画像を画像ファイルとして記録可能であるとともに、少なくとも日時情報を入力可能なスケジューラ機能を備えた画像記録装置であって、
上記日時情報を含むスケジュール情報を入力する入力手段と、
上記入力手段によって入力されるスケジュール情報を記憶媒体に記憶する記憶手段と、
上記撮影が行われた日時を計測する計測手段と、
上記記憶媒体に記憶されたスケジュール情報中の日時情報と上記撮影の日時情報とを比較する日時情報比較手段と、
上記日時情報比較手段の比較の結果、上記記憶媒体に記憶されたスケジュール情報に含まれる日時情報に上記撮影の日時情報が含まれる場合に、上記スケジュール情報を上記画像ファイルに関連付けて画像記録媒体に記録する画像ファイル記録手段とを有することを特徴とする画像記録装置。
【請求項３】
上記計測手段からの計測結果に基づいて上記スケジュール情報中の日時情報を加工して加工情報を生成する加工手段を備え、
上記画像ファイル記録手段は、上記加工情報を上記スケジュール情報として上記画像ファイルに関連付けて記録するようにしたことを特徴とする請求項２に記載の画像記録装置。
【請求項４】
上記スケジュール情報が入力されたときに、上記画像記録媒体に記録された画像ファイルが既にある場合には、上記画像ファイルが作成された日時情報と、上記スケジュール情報に含まれる日時情報とを比較し、上記画像ファイルが作成された日時情報が上記スケジュール情報に含まれる日時情報に含まれる場合、上記スケジュール情報を上記画像ファイルに関連付けて記録することを特徴とする請求項２または３に記載の画像記録装置。
【請求項５】
上記画像ファイルを表示装置に表示する際に、上記日時情報を基にして画像を分類して表示する画像表示手段を有することを特徴とする請求項１〜４の何れか１項に記載の画像記録装置。
【請求項６】
上記画像ファイルに対して関連付けて記録された情報の有無を付帯有無情報として上記画像ファイルに付帯して記録することを特徴とする請求項１〜４の何れか１項に記載の画像記録装置。
【請求項７】
上記スケジュール情報は階層型ファイル構造として記憶されることを特徴とする請求項１〜５の何れか１項に記載の画像記録装置。
【請求項８】
上記加工手段は、複数のスケジュール情報と現在日時とに基づいて加工することを特徴とする請求項３に記載の画像記録装置。
【請求項９】
少なくとも場所情報を含む撮影環境情報を外部から受信可能に構成された画像記録装置において、
上記外部から受信した撮影環境情報を、撮影して生成した画像ファイルに関連付けて記録することを特徴とする画像記録装置。
【請求項１０】
撮像装置で生成した撮影画像を画像ファイルとして記録可能に構成された画像記録装置において、
上記撮像装置で撮影している場所情報を少なくとも含む撮影環境情報を外部から受信する情報受信手段と、
上記情報受信手段によって受信した撮影環境情報を記憶媒体に記憶する情報記憶手段と、
上記情報受信手段によって受信した撮影環境情報を解析する情報解析手段と、
上記画像ファイルに上記撮影環境情報を関連付けて画像記録媒体に記録する画像ファイル記録手段とを有することを特徴とする画像記録装置。
【請求項１１】
被写体を撮影して生成した画像ファイルに付帯して記録するための撮影環境情報を画像記録装置へ発信する情報発信装置であって、
上記画像記録装置に向けて発信する情報として、少なくとも場所情報を含む撮影環境情報を入力する情報入力手段と、
上記情報入力手段によって入力された撮影環境情報を発信する情報発信手段とを有することを特徴とする情報発信装置。
【請求項１２】
少なくとも日時情報を含むスケジュール情報を入力可能なスケジューラ機能を備えた画像記録装置を用いた画像記録方法であって、
上記スケジュール情報に含まれる日時情報に、被写体を撮影して画像ファイルを生成した日時情報が含まれる場合には、上記スケジュール情報と上記画像ファイルとを関連付けて記録することを特徴とする画像記録方法。
【請求項１３】
被写体を撮影して生成した撮影画像を画像ファイルとして記録可能であるとともに、少なくとも日時情報を入力可能なスケジューラ機能を備えた画像記録装置を用いた画像記録方法であって、
上記日時情報を含むスケジュール情報を入力する入力工程と、
上記入力工程によって入力されたスケジュール情報を記憶媒体に記憶する記憶工程と、
上記撮影が行われた日時を計測する計測工程と、
上記記憶媒体に記憶されたスケジュール情報中の日時情報と上記撮影の日時情報とを比較する日時情報比較工程と、
上記日時情報比較工程の比較の結果、上記記憶媒体に記憶されたスケジュール情報に含まれる日時情報に上記撮影の日時情報が含まれる場合に、上記スケジュール情報を上記画像ファイルに関連付けて画像記録媒体に記録する画像ファイル記録工程とを有することを特徴とする画像記録方法。
【請求項１４】
上記計測工程からの計測結果に基づいて上記スケジュール情報中の日時情報を加工して加工情報を生成する加工工程を備え、
上記画像ファイル記録工程は、上記加工情報を上記スケジュール情報として上記画像ファイルに関連付けて記録するようにしたことを特徴とする請求項１３に記載の画像記録方法。
【請求項１５】
上記スケジュール情報が入力されたときに、上記画像記録媒体に記録された画像ファイルが既にある場合には、上記画像ファイルが作成された日時情報と、上記スケジュール情報に含まれる日時情報とを比較し、上記画像ファイルが作成された日時情報が上記スケジュール情報に含まれる日時情報に含まれる場合、上記スケジュール情報を上記画像ファイルに関連付けて記録することを特徴とする請求項１３または１４に記載の画像記録方法。
【請求項１６】
上記画像ファイルを表示装置に表示する際に、上記日時情報を基にして画像を分類して表示する画像表示工程を有することを特徴とする請求項１２〜１５の何れか１項に記載の画像記録方法。
【請求項１７】
上記画像ファイルに対して関連付けて記録された情報の有無を付帯有無情報として上記画像ファイルに付帯して記録することを特徴とする請求項１２〜１５の何れか１項に記載の画像記録方法。
【請求項１８】
上記スケジュール情報は階層型ファイル構造として記憶されることを特徴とする請求項１２〜１６の何れか１項に記載の画像記録方法。
【請求項１９】
上記加工工程は、複数のスケジュール情報と現在日時とに基づいて加工することを特徴とする請求項１４に記載の画像記録方法。
【請求項２０】
上記請求項１〜１１の何れか１項に記載の各手段としてコンピュータを機能させるためのプログラムを記録したことを特徴とするコンピュータ読み取り可能な記憶媒体。
【請求項２１】
上記請求項１２〜１９の何れか１項に記載の方法をコンピュータに実行させるためのプログラムを記録したことを特徴とするコンピュータ読み取り可能な記憶媒体。
【請求項２２】
上記請求項１２〜１９の何れか１項に記載の方法をコンピュータに実行させることを特徴とするコンピュータプログラム。
【手続補正３】
【補正対象書類名】明細書
【補正対象項目名】０００１
【補正方法】変更
【補正の内容】
【０００１】
【発明の属する技術分野】
本発明は、画像記録装置、情報発信装置、画像記録方法、コンピュータ読み取り可能な記憶媒体及びコンピュータプログラムに関するものであり、特にデジタルカメラに用いて好適なものである。
【手続補正４】
【補正対象書類名】明細書
【補正対象項目名】０００６
【補正方法】変更
【補正の内容】
【０００６】
【課題を解決するための手段】
本発明の画像記録装置は、少なくとも日時情報を含むスケジュール情報を入力可能なスケジューラ機能を備えた画像記録装置であって、上記スケジュール情報に含まれる日時情報に、被写体を撮影して画像ファイルを生成した日時情報が含まれる場合には、上記スケジュール情報と上記画像ファイルとを関連付けて記録することを特徴としている。
また、本発明の他の特徴とするところは、被写体を撮影して生成した撮影画像を画像ファイルとして記録可能であるとともに、少なくとも日時情報を入力可能なスケジューラ機能を備えた画像記録装置であって、上記日時情報を含むスケジュール情報を入力する入力手段と、上記入力手段によって入力されるスケジュール情報を記憶媒体に記憶する記憶手段と、上記撮影が行われた日時を計測する計測手段と、上記記憶媒体に記憶されたスケジュール情報中の日時情報と上記撮影の日時情報とを比較する日時情報比較手段と、上記日時情報比較手段の比較の結果、上記記憶媒体に記憶されたスケジュール情報に含まれる日時情報に上記撮影の日時情報が含まれる場合に、上記スケジュール情報を上記画像ファイルに関連付けて画像記録媒体に記録する画像ファイル記録手段とを有することを特徴としている。
また、本発明のその他の特徴とするところは、上記計測手段からの計測結果に基づいて上記スケジュール情報中の日時情報を加工して加工情報を生成する加工手段を備え、上記画像ファイル記録手段は、上記加工情報を上記スケジュール情報として上記画像ファイルに関連付けて記録するようにしたことを特徴としている。
また、本発明のその他の特徴とするところは、上記スケジュール情報が入力されたときに、上記画像記録媒体に記録された画像ファイルが既にある場合には、上記画像ファイルが作成された日時情報と、上記スケジュール情報に含まれる日時情報とを比較し、上記画像ファイルが作成された日時情報が上記スケジュール情報に含まれる日時情報に含まれる場合、上記スケジュール情報を上記画像ファイルに関連付けて記録することを特徴としている。
また、本発明のその他の特徴とするところは、上記画像ファイルを表示装置に表示する際に、上記日時情報を基にして画像を分類して表示する画像表示手段を有することを特徴としている。
また、本発明のその他の特徴とするところは、上記画像ファイルに対して関連付けて記録された情報の有無を付帯有無情報として上記画像ファイルに付帯して記録することを特徴としている。
また、本発明のその他の特徴とするところは、上記スケジュール情報は階層型ファイル構造として記憶されることを特徴としている。
また、本発明のその他の特徴とするところは、上記加工手段は、複数のスケジュール情報と現在日時とに基づいて加工することを特徴としている。
また、本発明のその他の特徴とするところは、少なくとも場所情報を含む撮影環境情報を外部から受信可能に構成された画像記録装置において、上記外部から受信した撮影環境情報を、撮影して生成した画像ファイルに関連付けて記録することを特徴としている。
また、本発明のその他の特徴とするところは、撮像装置で生成した撮影画像を画像ファイルとして記録可能に構成された画像記録装置において、上記撮像装置で撮影している場所情報を少なくとも含む撮影環境情報を外部から受信する情報受信手段と、上記情報受信手段によって受信した撮影環境情報を記憶媒体に記憶する情報記憶手段と、上記情報受信手段によって受信した撮影環境情報を解析する情報解析手段と、上記画像ファイルに上記撮影環境情報を関連付けて画像記録媒体に記録する画像ファイル記録手段とを有することを特徴としている。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明の画像記録方法は、少なくとも日時情報を含むスケジュール情報を入力可能なスケジューラ機能を備えた画像記録装置を用いた画像記録方法であって、上記スケジュール情報に含まれる日時情報に、被写体を撮影して画像ファイルを生成した日時情報が含まれる場合には、上記スケジュール情報と上記画像ファイルとを関連付けて記録することを特徴としている。
また、本発明の他の特徴とするところは、被写体を撮影して生成した撮影画像を画像ファイルとして記録可能であるとともに、少なくとも日時情報を入力可能なスケジューラ機能を備えた画像記録装置を用いた画像記録方法であって、上記日時情報を含むスケジュール情報を入力する入力工程と、上記入力工程によって入力されたスケジュール情報を記憶媒体に記憶する記憶工程と、上記撮影が行われた日時を計測する計測工程と、上記記憶媒体に記憶されたスケジュール情報中の日時情報と上記撮影の日時情報とを比較する日時情報比較工程と、上記日時情報比較工程の比較の結果、上記記憶媒体に記憶されたスケジュール情報に含まれる日時情報に上記撮影の日時情報が含まれる場合に、上記スケジュール情報を上記画像ファイルに関連付けて画像記録媒体に記録する画像ファイル記録工程とを有することを特徴としている。
また、本発明のその他の特徴とするところは、上記計測工程からの計測結果に基づいて上記スケジュール情報中の日時情報を加工して加工情報を生成する加工工程を備え、上記画像ファイル記録工程は、上記加工情報を上記スケジュール情報として上記画像ファイルに関連付けて記録するようにしたことを特徴としている。
また、本発明のその他の特徴とするところは、上記スケジュール情報が入力されたときに、上記画像記録媒体に記録された画像ファイルが既にある場合には、上記画像ファイルが作成された日時情報と、上記スケジュール情報に含まれる日時情報とを比較し、上記画像ファイルが作成された日時情報が上記スケジュール情報に含まれる日時情報に含まれる場合、上記スケジュール情報を上記画像ファイルに関連付けて記録することを特徴としている。
また、本発明のその他の特徴とするところは、上記画像ファイルを表示装置に表示する際に、上記日時情報を基にして画像を分類して表示する画像表示工程を有することを特徴としている。
また、本発明のその他の特徴とするところは、上記画像ファイルに対して関連付けて記録された情報の有無を付帯有無情報として上記画像ファイルに付帯して記録することを特徴としている。
また、本発明のその他の特徴とするところは、上記スケジュール情報は階層型ファイル構造として記憶されることを特徴としている。
また、本発明のその他の特徴とするところは、上記加工工程は、複数のスケジュール情報と現在日時とに基づいて加工することを特徴としている。
【手続補正７】
【補正対象書類名】明細書
【補正対象項目名】００１０
【補正方法】削除
【補正の内容】